(57)【特許請求の範囲】
【請求項１】
同軸ケーブルの編組の内側に円筒状のスリーブを挿入するスリーブ挿入装置であって、
装置本体と、
前記装置本体上に設けられかつ前記同軸ケーブルの端部を保持するケーブル保持部と、
前記端部から露出した編組を拡げる編組拡げ部と、
前記端部と相対する先端が先細に形成されかつ内側に前記スリーブを収容する収容筒と、
前記収容筒と前記同軸ケーブルの前記端部とを互いに近づける筒移動部と、
前記収容筒内の前記スリーブを前記編組の内側に押し出す押し出し部と、
を備えたことを特徴とするスリーブ挿入装置。
【請求項２】
前記編組拡げ部は、
前記端部から露出した編組を叩く編組たたき部材を備えていることを特徴とする請求項１記載のスリーブ挿入装置。
【請求項３】
前記編組たたき部材が、前記端部から露出した編組の先端を叩いた後に、この編組の前記同軸ケーブルの中央部よりの箇所を叩くように、当該編組たたき部材を前記同軸ケーブルの長手方向に沿って移動させる部材移動部を備えたことを特徴とする請求項２記載のスリーブ挿入装置。
【請求項４】
前記収容筒の前記先端は、その断面形状が、外周方向の凸に湾曲して形成されていることを特徴とする請求項１ないし請求項３のうちいずれか一項に記載のスリーブ挿入装置。
【請求項５】
前記編組拡げ部が一旦拡げて、前記押し出し部によって内側に前記スリーブが挿入された編組を、当該スリーブの外周面に押し付ける編組押し付け部材を備えたことを特徴とする請求項１ないし請求項４のうちいずれか一項に記載のスリーブ挿入装置。
【請求項６】
前記収容筒は、前記同軸ケーブルの端部寄りの先端から離れた箇所に、前記スリーブが供給される通し孔が設けられていることを特徴とする請求項１ないし請求項５のうちいずれか一項に記載のスリーブ挿入装置。
【発明の詳細な説明】
【技術分野】
【０００１】
本発明は、同軸ケーブルの編組の内側に金属で構成された円筒状のスリーブを挿入するスリーブ挿入装置に関する。
【背景技術】
【０００２】
高周波振動を伝送するアンテナには、電磁波や静電気などの電気的なノイズの影響を遮断する同軸ケーブルが接続されている。この種の同軸ケーブルは、金属で構成された芯線と、この芯線を被覆した絶縁性の内部被覆と、この内部被覆部を更に被覆しかつ複数の金属線が編まれて構成された編組と、前記編組を更に被覆した絶縁性の外皮と、を備えている。
【０００３】
この種の同軸ケーブルには、その端部に端子金具（例えば、特許文献１参照）が取り付けられて、当該端子金具が前述したアンテナなどと接続する。この種の端子金具は、導電性の板金などで構成されかつ前記芯線と接続されるインナ端子と、導電性の板金などで構成されかつ前記編組を加締めて当該編組と接続されるアウタ端子と、絶縁性の合成樹脂で構成されかつ前記インナ端子と前記アウタ端子とを互いに電気的に絶縁する絶縁部材と、を備えている。
【特許文献１】特開２００３−２９７４９３号公報
【発明の開示】
【発明が解決しようとする課題】
【０００４】
従来から用いられてきた端子金具では、アウタ端子が編組を加締めてこの編組と電気的に接続されてきた。この編組の内側には、合成樹脂で構成されて弾性を有する内部被覆が位置している。このために、アウタ端子が編組を加締めても、内部被覆部が弾性変形してしまい、アウタ端子と編組とが密に接触しないことがあった。このため、編組の内側に金属で構成されて殆ど変形しない円筒状のスリーブを挿入して、編組をアウタ端子と当該スリーブとの間に挟みこむことにより、当該編組とアウタ端子とを密に接触させることが提案されている。
【０００５】
編組は、前述したように複数の金属線が編まれることで構成されているので、勿論、変形しやすく、前述したスリーブを編組の内側に挿入しにくかった。即ち、スリーブを編組の内側に確実に挿入することが困難であった。
【０００６】
したがって、本発明の目的は、同軸ケーブルの編組の内側にスリーブを確実に挿入することができるスリーブ挿入装置を提供することにある。
【課題を解決するための手段】
【０００７】
前記課題を解決し目的を達成するために、請求項１に記載の本発明のスリーブ挿入装置は、同軸ケーブルの編組の内側に円筒状のスリーブを挿入するスリーブ挿入装置であって、装置本体と、前記装置本体上に設けられかつ前記同軸ケーブルの端部を保持するケーブル保持部と、前記端部から露出した編組を拡げる編組拡げ部と、前記端部と相対する先端が先細に形成されかつ内側に前記スリーブを収容する収容筒と、前記収容筒と前記同軸ケーブルの前記端部とを互いに近づける筒移動部と、前記収容筒内の前記スリーブを前記編組の内側に押し出す押し出し部と、を備えたことを特徴としている。
【０００８】
請求項２に記載の本発明のスリーブ挿入装置は、請求項１記載のスリーブ挿入装置において、前記編組拡げ部は、前記端部から露出した編組を叩く編組たたき部材を備えていることを特徴としている。
【０００９】
請求項３に記載の本発明のスリーブ挿入装置は、請求項２記載のスリーブ挿入装置において、前記編組たたき部材が、前記端部から露出した編組の先端を叩いた後に、この編組の前記同軸ケーブルの中央部よりの箇所を叩くように、当該編組たたき部材を前記同軸ケーブルの長手方向に沿って移動させる部材移動部を備えたことを特徴としている。
【００１０】
請求項４に記載の本発明のスリーブ挿入装置は、請求項１ないし請求項３のうちいずれか一項に記載のスリーブ挿入装置において、前記収容筒の前記先端は、その断面形状が、外周方向の凸に湾曲して形成されていることを特徴としている。
【００１１】
請求項５に記載の本発明のスリーブ挿入装置は、請求項１ないし請求項４のうちいずれか一項に記載のスリーブ挿入装置において、前記編組拡げ部が一旦拡げて、前記押し出し部によって内側に前記スリーブが挿入された編組を、当該スリーブの外周面に押し付ける編組押し付け部材を備えたことを特徴としている。
【００１２】
請求項６に記載の本発明のスリーブ挿入装置は、請求項１ないし請求項５のうちいずれか一項に記載のスリーブ挿入装置において、前記収容筒は、前記同軸ケーブルの端部寄りの先端から離れた箇所に、前記スリーブが供給される通し孔が設けられていることを特徴としている。
【００１３】
請求項１に記載した本発明によれば、装置本体に設けられて同軸ケーブルの端部を保持するケーブル保持部と、編組を拡げる編組拡げ部と、スリーブを収容した先細の収容筒を同軸ケーブルの端部に近づける筒移動部とを備えている。このため、編組拡げ部により拡げられた編組内に先細の収容筒を挿入することで、編組拡げ部により拡げられた編組を更に拡げることができる。そして、収容筒内のスリーブを編組の内側に押し出す押し出し部を備えているので、編組拡げ部及び収容筒の先端によって拡げられた編組内にスリーブを確実に挿入することができる。
【００１４】
請求項２に記載した本発明によれば、編組拡げ部が編組を叩く編組たたき部材を備えている。編組たたき部材が、編組を叩くと、当該編組の端が外周側に拡がる。
【００１５】
請求項３に記載した本発明によれば、編組たたき部材が編組の端から同軸ケーブルの中央部に向かって順に当該編組を叩く。このため、端から中央部に向かって順に編組を叩くたびに、外周に拡がった編組の端がより外周に拡がる。
【００１６】
請求項４に記載した本発明によれば、収容筒の先端の断面形状が外周方向に凸に湾曲して形成されているので、収容筒の先端を編組の端部に近づけると、当該先端により案内されて、当該編組が確実に外側に拡がることとなる。
【００１７】
請求項５に記載した本発明によれば、内側にスリーブが挿入された編組を当該スリーブの外周面に押し付ける編組押し付け部材を備えているので、当該編組に端子などを取り付ける際に、当該端子の加締め片がスリーブとの間に編組を確実に挟むことができる。
【００１８】
請求項６に記載した本発明によれば、収容筒の先端から離れた箇所に設けられた通し孔を通して、スリーブが収容筒内に供給されるので、収容筒内に収容されたスリーブが先端よりも奥に位置付けられる。
【発明の効果】
【００１９】
以上説明したように請求項１に記載の本発明は、編組拡げ部により拡げられた編組内に先細の収容筒を挿入することで、編組拡げ部により拡げられた編組を更に拡げることができ、編組拡げ部及び収容筒の先端によって拡げられた編組内にスリーブを確実に挿入することができる。したがって、同軸ケーブルの編組の内側にスリーブを確実に挿入することができる。
【００２０】
請求項２に記載の本発明は、編組拡げ部の編組たたき部材が編組を叩くと当該編組の端が外周側に拡がるので、当該編組の内側にスリーブを確実に挿入することができる。
【００２１】
請求項３に記載の本発明は、編組たたき部材が編組の端から同軸ケーブルの中央部に向かって順に当該編組を叩くたびに、外周に拡がった編組の端がより外周に拡がるので、当該編組の内側にスリーブをより確実に挿入することができる。
【００２２】
請求項４に記載の本発明は、収容筒の先端の断面形状が外周方向に凸に湾曲して形成されているので、収容筒の先端を編組の端部に近づけると、編組が確実に外側に拡がることとなる。したがって、編組の内側にスリーブをより一層確実に挿入することができる。
【００２３】
請求項５に記載の本発明は、端子の加締め片がスリーブとの間に編組を確実に挟むことができるので、編組と端子とを確実に電気的に接続することができる。
【００２４】
請求項６に記載の本発明は、収容筒内に収容されたスリーブが先端よりも奥に位置付けられるので、収容筒を同軸ケーブルの端部に押し付けた際に、スリーブが同軸ケーブルの芯線などと干渉することを防止できる。したがって、同軸ケーブルの芯線を破損させることなく、当該同軸ケーブルの編組の内側にスリーブを挿入することができる。
【発明を実施するための最良の形態】
【００２５】
本発明の一実施形態を図１ないし図１２を参照して説明する。図１などに示す本発明の一実施形態にかかるスリーブ挿入装置（以下、単に挿入装置と呼ぶ）１は、図１に示す同軸ケーブル２の端部２ａにおいて、編組３の内側に導電性の金属で構成されかつ円筒状に形成されたスリーブ４を挿入する装置である。
【００２６】
同軸ケーブル２は、図１に示すように、芯線５と、該芯線５を被覆した内部被覆６と、該内部被覆６を被覆した金属箔７と、当該金属箔７即ち内部被覆６を被覆した外部導体としての編組３と、該編組３を被覆した外皮としての絶縁シース８と、を備えている。
【００２７】
芯線５は、導電性の金属で構成された一本又は複数本の素線により構成されている。内部被覆６は、絶縁性の合成樹脂で構成されている。金属箔７は、例えば、銅又は銅合金などで構成され、薄膜状に形成されている。編組３は、導電性の金属で構成された複数の素線が互いに編まれて、網状に形成されている。絶縁シース８は、絶縁性の合成樹脂で構成されている。前述した構成の同軸ケーブル２は、図４に示すように、その端部２ａにおいて、絶縁シース８と内部被覆６の各々の一部が除去されて、前述した芯線５と内部被覆６と金属箔７と編組３とが露出している。さらに、同軸ケーブル２は、図３に示すように、その端部２ａにおいて、編組３の内側に前述したスリーブ４が挿入されて、図１に示す端子９が取り付けられる。
【００２８】
端子９は、図１に示すように、導電性の金属で構成されたインナ端子１０と、絶縁チューブ１１と、導電性の金属で構成されたシールド端子１２とを備えている。
【００２９】
インナ端子１０は、板金を曲げるなどして形成されている。インナ端子１０は、同軸ケーブル２の芯線５に加締められて、同軸ケーブル２に取り付けられる。インナ端子１０は、各種の電子機器に接続する。
【００３０】
絶縁チューブ１１は、絶縁性でかつ熱収縮性（加熱されると収縮する）の合成樹脂で構成されて、円筒状に形成されている。絶縁チューブ１１は、内側にインナ端子１０を収容して、加熱されることを収縮して、該インナ端子１０と密着する。絶縁チューブ１１は、インナ端子１０と、シールド端子１２とを電気的に絶縁する。
【００３１】
シールド端子１２は、板金を曲げるなどして形成されている。シールド端子１２は、本体部１３と、先端キャップ１４とを備えている。本体部１３は、円筒状のキャップ固定部１５と、電線接続部１６と、を備えている。
【００３２】
キャップ固定部１５は、絶縁チューブ１１の外周に嵌合するなどして、該絶縁チューブ１１に取り付けられる。電線接続部１６は、キャップ固定部１５に連なった底板１７と、スリーブ加締め部１８と、シース加締め部１９とを備えている。底板１７は、平面形状が矩形状に形成されており、一端がキャップ固定部１５に連なっている。
【００３３】
スリーブ加締め部１８は、底板１７の外縁から立設した一対の編組加締め片２０を備えている。一対の編組加締め片２０は、底板１７の幅方向の外縁から立設している。スリーブ加締め部１８は、底板１７に同軸ケーブル２の端部に内側にスリーブ４が挿入された編組３が重ねられて、編組加締め片２０が底板１７に近づく方向に曲げられる。スリーブ加締め部１８は、該編組加締め片２０と底板１７との間に同軸ケーブル２の端部の内側にスリーブ４が挿入された編組３を挟んで、当該編組３を加締めて、勿論、同軸ケーブル２の端部の編組３と電気的に接続する。このとき、編組加締め片２０は、スリーブ４との間に前述した編組３を挟みこむ。
【００３４】
シース加締め部１９は、一対のシース加締め片２１を備えている。シース加締め片２１は、底板１７の幅方向の外縁から立設しているとともに、編組加締め片２０よりもキャップ固定部１５から離れた位置に配置されている。
【００３５】
シース加締め部１９は、シース加締め片２１が底板１７に近づく方向に曲げられる。シース加締め部１９は、底板１７に重ねられた同軸ケーブル２の絶縁シース８をシース加締め片２１と底板１７との間に挟んで、同軸ケーブル２の絶縁シース８を加締める。
【００３６】
先端キャップ１４は、導電性の板金などで構成されて、一端が塞がれた円筒状に形成されている。先端キャップ１４は、本体部１３のキャップ固定部１５に取り付けられる。
【００３７】
前述した構成のシールド端子１２は、本体部１３のキャップ固定部１５が絶縁チューブ１１の外周に取り付けられて、スリーブ加締め部１８が内側にスリーブ４が挿入された編組３をかしめて、シース加締め部１９が絶縁シース８をかしめて、同軸ケーブル２と絶縁チューブ１１との双方に固定される。そして、シールド端子１２は、スリーブ４を介して、同軸ケーブル２の編組３と電気的に接続する。そして、シールド端子１２は、前述した電子機器のアース回路などと電気的に接続する。
【００３８】
前述した端子９は、同軸ケーブル２の芯線５に取り付けられたインナ端子１０の外周に絶縁チューブ１１が嵌合し、該絶縁チューブ１１の外周にシールド端子１２の本体部１３のキャップ固定部１５が嵌合するとともに、本体部１３のキャップ固定部１５に先端キャップ１４が取り付けられて、組み立てられる。そして、端子９は、底板１７上に同軸ケーブル２及び該同軸ケーブル２の内側にスリーブ４が挿入された編組３が重ねられて、前述した加締め片１８，１９が底板１７に向かって曲げられて編組３及び絶縁シース８を加締める。こうして、同軸ケーブル２の端部２ａに端子９が取り付けられて、当該端子９を介して前述した電子機器などと接続される。
【００３９】
挿入装置１は、前述した同軸ケーブル２の端部２ａから露出した編組３の内側でかつ金属箔７の外側にスリーブ４を挿入する装置である。なお、スリーブ４の内径は、金属箔７の外径と略等しい。挿入装置１は、図２に示すように、装置本体としてのベース２２と、ケーブル保持部２３と、編組拡げ部２４と、編組押し付け部２５と、筒移動部２６と、収容筒２７と、押し出し部２８と、スリーブ供給部２９と、制御手段としての制御装置と、を備えている。
【００４０】
ベース２２は、工場などのフロア上などに設置されかつ平板状に形成されている。なお、図示例では、ベース２２は、矩形状に形成されている。
【００４１】
ケーブル保持部２３は、ベース２２の長手方向の一端部上に設けられている。ケーブル保持部２３は、編組拡げ部２４の後述する凸没接離シリンダ３３のシリンダ本体３５を介して、ベース２２上に固定されている。ケーブル保持部２３は、シリンダ本体３５に固定された固定部材３０と、この固定部材３０に接離自在に設けられかつ当該固定部材３０との間に同軸ケーブル２の端部２ａを挟みこむ移動部材３１と、これら部材３０，３１同士を互いに接離させる締め付け部材３２と、を備えている。ケーブル保持部２３は、固定部材３０と移動部材３１との間に同軸ケーブル２の端部２ａを位置付け、締め付け部材３２により移動部材３１を固定部材３０に向かって近づけて、これら部材３０，３１間に同軸ケーブル２の端部２ａを挟み込んで、当該同軸ケーブル２の端部２ａを保持する。なお、ケーブル保持部２３は、同軸ケーブル２の長手方向がベース２２の長手方向と平行な状態で、当該同軸ケーブル２の端部２ａを保持する。
【００４２】
編組拡げ部２４は、部材移動部としての凸没接離シリンダ３３と、一対の編組たたき部材３４（図２には一方のみ示す）とを備えている。凸没接離シリンダ３３は、ベース２２の一端部上に設けられている。凸没接離シリンダ３３は、シリンダ本体３５と、このシリンダ本体３５から凸没自在でかつ当該凸没する方向に対して直交する方向に接離自在に設けられた一対のロッド３６を備えている。シリンダ本体３５は、ベース２２の一端部に固定されている。
【００４３】
一対のロッド３６は、互いの間にケーブル保持部２３に保持された同軸ケーブル２を位置付ける位置に配置されている（図２では、図中奥側の一方のみを示す）。一対のロッド３６は、互いに一体となって、シリンダ本体３５から凸没自在となっている。一対のロッド３６が、シリンダ本体３５から凸没する方向は、ケーブル保持部２３に保持された同軸ケーブル２の長手方向と平行である。このため、一対のロッド３６は、同軸ケーブル２の長手方向に沿って、編組たたき部材３４を移動させる。また、一対のロッド３６は、シリンダ本体３５からの凸没する方向に対して直交する方向に互いに接離して、ケーブル保持部２３に保持された同軸ケーブル２に接離自在となっている。
【００４４】
一対の編組たたき部材３４は、それぞれ、凸没接離シリンダ３３のロッド３６に取り付けられている。このため、編組たたき部材３４は、互いの間にケーブル保持部２３に保持された同軸ケーブル２を位置付ける位置に配置されている（図２では、図中奥側の一方のみを示す）。編組たたき部材３４は、凸没接離シリンダ３３の一対のロッド３６が互いに近づくことで、同軸ケーブル２の端部２ａから露出した編組３を叩く。
【００４５】
前述した編組拡げ部２４は、凸没接離シリンダ３３のロッド３６がシリンダ本体３５から突出した状態で、これら一対のロッド３６を互いに接離して、編組たたき部材３４が同軸ケーブル２の端部２ａから露出した編組３の先端を叩く。その後、編組拡げ部２４は、凸没接離シリンダ３３のロッド３６をシリンダ本体３５に縮小させて、これら一対のロッド３６を互いに接離して、編組たたき部材３４が同軸ケーブル２の端部２ａから露出した編組３の同軸ケーブル２の中央部よりの箇所を叩く。このため、凸没接離シリンダ３３は、編組たたき部材３４が編組３の先端を叩いた後に、この編組３の前記同軸ケーブル２の中央部よりの箇所を叩くように、当該編組たたき部材３４を同軸ケーブル２の長手方向に沿って移動させる。
【００４６】
編組押し付け部２５は、編組拡げ部２４の近傍に配置されている。編組押し付け部２５は、ベース２２の一端部に取り付けられた図示しないシリンダと、一対の編組押し付け部材３７とを備えている。一対のシリンダは、ベース２２に固定されたシリンダ本体と、当該シリンダ本体から凸没自在に設けられたロッドとを備えている。一対のシリンダは、互いの間にケーブル保持部２３に保持された同軸ケーブル２の端部２ａを位置付ける位置に配置されている。一対のシリンダは、シリンダ本体からロッドが凸没すると、当該ロッドが互いに接離する。
【００４７】
一対の編組押し付け部材３７は、それぞれ、シリンダのロッドに取り付けられている。このため編組押し付け部材３７は、互いの間にケーブル保持部２３に保持された同軸ケーブル２を位置付ける位置に配置されている（図２では、図中奥側の一方のみを示す）。編組押し付け部材３７は、シリンダのロッドが互いに近づくことで、同軸ケーブル２の端部２ａから露出しかつ一旦拡げられて内側にスリーブ４が挿入された編組３を、当該スリーブ４の外周面に押し付ける。
【００４８】
筒移動部２６は、リニアガイド３８と、支持テーブル３９と、シリンダ４０と、を備えている。リニアガイド３８は、直線状に延在したレール４１と、このレール４１の長手方向に沿って当該レール４１に移動自在に支持されたスライダ４２とを備えている。レール４１は、ベース２２に固定されており、その長手方向がベース２２の長手方向即ちケーブル保持部２３に保持された同軸ケーブル２の長手方向と平行に配置されている。
【００４９】
支持テーブル３９は、厚手の平板状に形成され、かつ、スライダ４２に取り付けられている。このため、支持テーブル３９は、リニアガイド３８により、ケーブル保持部２３に接離自在となっている。支持テーブル３９は、スライダ４２上に固定されたベース部４３と、このベース部４３のケーブル保持部２３寄りの端部から立設した立設部４４とを備えている。また、立設部４４には、収容筒２７の移動方向を案内するガイド孔４５が設けられている。
【００５０】
ガイド孔４５は、勿論、立設部４４を貫通している。このガイド孔４５は、内側に押し出し部２８の後述する押し出しパイプ４８を通している。ガイド孔４５は、押し出しパイプ４８を通すことで、ケーブル保持部２３に保持された同軸ケーブル２の長手方向に沿って、当該押し出しパイプ４８がケーブル保持部２３即ち同軸ケーブル２に接離することを案内する。
【００５１】
シリンダ４０は、ベース２２の他端部に固定されたシリンダ本体４６と、このシリンダ本体４６から凸没自在に設けられかつ長手方向がベース２２の長手方向と平行なロッド４７とを備えている。ロッド４７は、支持テーブル３９に固定されている。
【００５２】
筒移動部２６は、支持テーブル３９に後述するように収容筒２７が取り付けられかつシリンダ４０のロッド４７が伸張することで、支持テーブル３９を介して収容筒２７をケーブル保持部２３に保持された同軸ケーブル２に近づける。
【００５３】
収容筒２７は、円筒状に形成されており、その内側の空間がガイド孔４５と連通するように、立設部４４に取り付けられて、ケーブル保持部２３に保持された同軸ケーブル２の端部と相対して配置されている。収容筒２７は、内側にスリーブ４を一つ収容する。収容筒２７は、その内径が、編組３の外径と略等しい。収容筒２７のケーブル保持部２３に保持された同軸ケーブル２の端部に相対する先端は、その断面形状が、外周方向に凸に湾曲して、当該同軸ケーブル２の端部に近づくのにしたがって徐々に先細に形成されている。
【００５４】
押し出し部２８は、押し出しパイプ４８と、押し出しシリンダ４９と、を備えている。押し出しパイプ４８は、内外径がスリーブ４の内外径と略等しい円筒状に形成されている。押し出しパイプ４８は、ガイド孔４５及び収容筒２７内に収容されて、これらによってベース２２の長手方向に移動自在に支持されている。また、押し出しパイプ４８は、収容筒２７内に収容される一つのスリーブ４よりもケーブル保持部２３から離れた側に配置されている。
【００５５】
押し出しシリンダ４９は、支持テーブル３９のベース部４３のケーブル保持部２３から離れた側の端部に固定されたシリンダ本体５０と、このシリンダ本体５０から凸没自在に設けられたロッド５１とを備えている。ロッド５１は、その長手方向がベース２２の長手方向と平行に配置され、かつシリンダ本体５０から伸張すると、ケーブル保持部２３に近づく状態に配置されている。ロッド５１は、押し出しパイプ４８に固定されている。前述した構成の押し出し部２８は、押し出しシリンダ４９のロッド５１が伸張することで、押し出しパイプ４８がスリーブ４を収容筒２７から編組３の内側に押し出す。
【００５６】
スリーブ供給部２９は、収容筒２７のケーブル保持部２３即ち同軸ケーブル２の端部２ａ寄りの先端から離れた箇所に設けられ、かつ当該収容筒２７の周壁を貫通した通し孔５２と、この通し孔５２と連通した供給筒５３と、図示しないパーツフィーダとを備えている。通し孔５２は、内側にスリーブ４を通して、当該スリーブ４を収容筒２７内に導く。供給筒５３は、複数のスリーブ４を収容する。パーツフィーダ即ちスリーブ供給部２９は、スリーブ４を一つずつ供給筒５３を通して通し孔５２内に供給する。スリーブ供給部２９は、収容筒２７内の押し出しパイプ４８よりもケーブル保持部２３寄りの位置にスリーブ４を供給する。
【００５７】
制御装置は、周知のＲＡＭ、ＲＯＭ、ＣＰＵなどを備えたコンピュータであって、編組拡げ部２４と、編組押し付け部２５と、筒移動部２６と、押し出し部２８と、スリーブ供給部２９などと接続して、挿入装置１全体の制御をつかさどる。
【００５８】
前述した挿入装置１は、同軸ケーブル２の端部２ａの編組３内にスリーブ４を以下のように挿入する。まず、ケーブル保持部２３に同軸ケーブル２の端部２ａを保持する。そして、挿入装置１を駆動すると、制御装置は、まず、押し出し部２８の押し出しシリンダ４９のロッド５１を縮小して、スリーブ供給部２９に収容筒２７内にスリーブ４を一つ供給するとともに、筒移動部２６のシリンダ４０のロッド４７を縮小して、収容筒２７をケーブル保持部２３から離す。さらに、制御装置は、編組拡げ部２４の凸没接離シリンダ３３のロッド３６即ち編組たたき部材３４を互いに離してシリンダ本体３５から突出させ、編組押し付け部２５のシリンダのロッドを縮小させる。
【００５９】
そして、制御装置は、図５に示すように、編組拡げ部２４の凸没接離シリンダ３３の一対のロッド３６を互いに近づけて、編組たたき部材３４で編組３の先端を叩く。すると、当該編組３の先端が金属箔７から離れる方向にその内外径が若干拡がる。その後、制御装置は、編組拡げ部２４の凸没接離シリンダ３３の一対のロッド３６をシリンダ本体３５に近づけた後に、さらに、図６に示すように、凸没接離シリンダ３３の一対のロッド３６を互いに近づけて、編組たたき部材３４で編組３の同軸ケーブル２の中央部よりの箇所を叩いて、凸没接離シリンダ３３の一対のロッド３６を互いに離す。すると、編組３の先端が金属箔７から離れる方向にその内外径が更に拡がる。
【００６０】
その後、制御装置は、筒移動部２６のシリンダ４０のロッド４７をシリンダ本体４６から伸張させて、図７に示すように、収容筒２７を同軸ケーブル２の端部に近づける。すると、収容筒２７の先端の断面形状が外側に凸の曲面に形成されているので、当該収容筒２７の先端により編組３がより拡げられる。そして、図８に示すように、収容筒２７の先端が絶縁シース８の端に位置すると、制御装置は、シリンダ４０のロッド４７の伸張を停止する。
【００６１】
その後、制御装置は、押し出し部２８の押し出しシリンダ４９のロッド５１を伸張して、この押し出しシリンダ４９の押し出しパイプ４８により、収容筒２７内のスリーブ４を同軸ケーブル２の編組３の内側に押し出す。すると、図９に示すように、スリーブ４が編組３の内側に侵入する。
【００６２】
そして、制御装置は、図１０に示すように、押し出し部２８の押し出しシリンダ４９のロッド５１を縮小して、押し出しパイプ４８をスリーブ４の挿入前の位置に位置付けた後に、図１１に示すように、筒移動部２６のシリンダ４０のロッド４７を縮小して、収容筒２７を同軸ケーブル２の端部２ａから離す。そして、制御装置は、編組押し付け部２５のシリンダのロッドを伸張して、図１２に示すように、編組押し付け部材３７で編組３をスリーブ４の外周面に押し付ける。こうして、挿入装置１は、同軸ケーブル２の端部２ａの編組３内にスリーブ４を挿入する。
【００６３】
本実施形態によれば、ベース２２に設けられて同軸ケーブル２の端部２ａを保持するケーブル保持部２３と、編組３を拡げる編組拡げ部２４と、スリーブ４を収容した先細の収容筒２７を同軸ケーブル２の端部２ａに近づける筒移動部２６とを備えている。このため、編組拡げ部２４により拡げられた編組３内に先細の収容筒２７を挿入することで、編組拡げ部２４により拡げられた編組３を更に拡げることができる。そして、収容筒２７内のスリーブ４を編組３の内側に押し出す押し出し部２８を備えているので、編組拡げ部２４及び収容筒２７の先端によって拡げられた編組３内にスリーブ４を確実に挿入することができる。したがって、同軸ケーブル２の編組３の内側にスリーブ４を確実に挿入することができる。
【００６４】
また、編組拡げ部２４が編組３を叩く編組たたき部材３４を備えている。編組たたき部材３４が、編組３を叩くと、当該編組３の端が外周側に拡がる。したがって、当該編組３の内側にスリーブ４を確実に挿入することができる。
【００６５】
さらに、編組たたき部材３４が編組３の端から同軸ケーブル２の中央部に向かって順に当該編組３を叩く。このため、端から中央部に向かって順に編組３を叩くたびに、外周に拡がった編組３の端がより外周に拡がる。したがって、当該編組３の内側にスリーブ４をより確実に挿入することができる。
【００６６】
収容筒２７の先端の断面形状が外周方向に凸に湾曲して形成されているので、収容筒２７の先端を同軸ケーブル２の端部に近づけると、当該収容筒２７の先端により案内されて、当該編組３が確実に外側に拡がることとなる。したがって、編組３の内側にスリーブ４をより一層確実に挿入することができる。
【００６７】
内側にスリーブ４が挿入された編組３を当該スリーブ４の外周面に押し付ける編組押し付け部２５を備えているので、当該編組３に端子９などを取り付ける際に、当該端子９の加締め片２０，２１がスリーブ４との間に編組３を確実に挟むことができる。したがって、編組３と端子９とを確実に電気的に接続することができる。
【００６８】
収容筒２７の先端から離れた箇所に設けられた通し孔５２を通して、スリーブ４が収容筒２７内に供給されるので、収容筒２７内に収容されたスリーブ４が先端よりも奥に位置付けられる。このため、収容筒２７を同軸ケーブル２の端部２ａに押し付けた際に、スリーブ４が同軸ケーブル２の芯線５などと干渉することを防止できる。したがって、同軸ケーブル２の芯線５を破損させることなく、当該同軸ケーブル２の編組３の内側にスリーブ４を挿入することができる。
【００６９】
前述した実施形態では、筒移動部２６が支持テーブル３９即ち収容筒２７を移動することで、ケーブル保持部２３即ち同軸ケーブル２の端部２ａと、収容筒２７とを相対的に互いに近づけている。しかしながら、本発明では、ケーブル保持部２３即ち同軸ケーブル２の端部２ａのみを移動させても良く、ケーブル保持部２３即ち同軸ケーブル２の端部２ａと収容筒２７との双方を移動させても良い。
【００７０】
また、前述した実施形態では、編組拡げ部２４の編組たたき部材３４が編組３を２回叩くことで、当該編組３の端を外周方向に拡げている。しかしながら、本発明では、編組拡げ部２４の編組たたき部材３４が編組３を１回又は３回以上叩くことで、当該編組３の端を外周方向に拡げても良い。なお、３回以上編組３を叩く際には、端から順に中央部に向かって編組３を叩くのが望ましい。
【００７１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７２】
【図１】本発明の一実施形態にかかるスリーブ挿入装置によりスリーブが挿入された同軸ケーブルと当該同軸ケーブルに取り付けられる端子などを示す斜視図である。
【図２】図１に示された同軸ケーブルの編組の内側にスリーブを挿入する挿入装置の構成を示す説明図である。
【図３】図１中のＩＩＩ−ＩＩＩ線に沿う断面図である。
【図４】図３に示された同軸ケーブルのスリーブ挿入前の状態を示す断面図である。
【図５】図４に示された同軸ケーブルの編組の先端を叩いた状態を示す断面図である。
【図６】図５に示された同軸ケーブルの編組の中央部を叩いた状態を示す断面図である。
【図７】図６に示された同軸ケーブルの端部に収容筒を近づけた状態を示す断面図である。
【図８】図７に示された同軸ケーブルの編組を収容筒で拡げた状態を示す断面図である。
【図９】図８に示された同軸ケーブルの編組の内側にスリーブを挿入した状態を示す断面図である。
【図１０】図９に示された押し出しパイプをスリーブ挿入前の位置に位置付けた状態を示す断面図である。
【図１１】図１０に示された収容筒を同軸ケーブルの端部から離した状態を示す断面図である。
【図１２】図１１に示された編組をスリーブの外周面に押し付けた状態を示す断面図である。
【符号の説明】
【００７３】
１  スリーブ挿入装置
２  同軸ケーブル
２ａ  端部
３  編組
４  スリーブ
２２  ベース（装置本体）
２３  ケーブル保持部
２４  編組拡げ部
２５  編組押し付け部
２６  筒移動部
２８  押し出し部
３３  凸没接離シリンダ（部材移動部）
３４  編組たたき部材
５２  通し孔
【図１】
0005095491.tif 000002
【図２】
0005095491.tif 000003
【図３】
0005095491.tif 000004
【図４】
0005095491.tif 000005
【図５】
0005095491.tif 000006
【図６】
0005095491.tif 000007
【図７】
0005095491.tif 000008
【図８】
0005095491.tif 000009
【図９】
0005095491.tif 000010
【図１０】
0005095491.tif 000011
【図１１】
0005095491.tif 000012
【図１２】
0005095491.tif 000013